(57)【要約】      （修正有）【課題】撮影者とスマートフォンとの間に十分な距離を確保して撮影者自身の姿と広い背景を同時に撮影すること、および、機械装置などの裏側や下側をスマートフォンで容易に撮影することができる撮影補助具を提供する。【解決手段】把手部１１を備えた伸縮可能な棒状体１０と、棒状体１０に連結した可撓杆２０と、可撓杆２０に設けられたスマートフォンホルダー３０とを備える。スマートフォンホルダー３０のスマートフォン保持機構７０が、スマートフォンＳを挟圧保持する機能を備える。可撓杆２０は棒状体１０の先端部から略直角に立ち上がっている。【選択図】図１
0003185803.tif 000002
【実用新案登録請求の範囲】
【請求項１】
基端部に把手部を備えた伸縮可能な棒状体と、この棒状体の先端部に連結された折曲げ角度及びねじれ角度を調節自在な可撓杆と、この可撓杆の先端部に設けられたスマートフォンホルダーと、を備え、
上記スマートフォンホルダーに備わっているスマートフォン保持機構が、スマートフォンを挟圧保持する機能を備えていることを特徴とするスマートフォン用撮影補助具。
【請求項２】
上記可撓杆が、上記棒状体の先端部から当該棒状体に対して略直角に立ち上がっている請求項１に記載したスマートフォン用撮影補助具。
【請求項３】
上記スマートフォンホルダーが、上記可撓杆の先端に固定された取付台と、この取付台に第１支軸を介してその第１支軸の軸線の回りに回動自在に取り付けられた座部と、この座部に上記第１支軸に直交する第２支軸を介して取り付けられてその第２支軸の軸線の回りで回動自在な上記スマートフォン保持機構と、を備えている請求項１又は請求項２のいずれか１項に記載したスマートフォン用撮影補助具。
【考案の詳細な説明】
【技術分野】
【０００１】
本考案は、スマートフォン用撮影補助具、詳しくは、撮影者が自己の姿を背景と共に撮影したり、機械装置の裏側や下側の状況などをスマートフォンを用いて撮影したりすることに便利に使用することのできるスマートフォン用撮影補助具に関する。
【背景技術】
【０００２】
一般的にスマートフォンと呼ばれている電子デバイスは、図３のように、偏平な筐体１の片面にモニター２を備えていると共に、筐体１の片面又は他面に撮影のために使用されるレンズ３などを備えている。図３には符合Ｓでスマートフォンを示してある。
【０００３】
現在広く周知されている汎用的なスマートフォンには、パソコンと同じウェブブラウザによるウェブ閲覧や、電子メールの送受信、文書ファイルの作成・閲覧、写真撮影、動画の撮影、音楽やビデオの再生・閲覧、テレビ電話などを実行し得る機能が備わっている。そして、近時では、所謂デジタルカメラを使う代わりに、スマートフォンの写真撮影機能を使って風景や人物を撮影することも多くなっている。
【０００４】
ところで、撮影者が自分自身をスマートフォンを使って撮影するという、所謂「自分撮り」を行う場合、従来は、撮影者が、スマートフォンを掴んでいる片腕を前方に伸ばして自分自身の身体からスマートフォンを離し、そうすることによって被写体（この場合は撮影者）とスマートフォンとの間に必要な距離を確保するということが行われていた。
【０００５】
また、工場に設置されている機械装置などや一般家庭に設置されている家具などの裏側や下側の状況をスマートフォンで撮影したいときには、撮影者が狭い空間に手を延ばしたり姿勢を屈めてスマートフォンのレンズを撮影場所に向けたりする必要があったために、撮影者にとっては非常に無理な姿勢を強いられることが多かった。
【０００６】
一方、「自分撮り」を行うための撮影において、撮影機器としてのカメラを、撮影補助具としてのカメラ用一脚の頂部の雲台に取り付けると共に、その雲台に連結した操作棒を撮影者が自ら手に持つようにして撮影者とカメラとの間に必要な間隔を確保する、という自分撮りの方法が先行例として提案されている（たとえば、特許文献１参照）。
【先行技術文献】
【特許文献】
【０００７】
【特許文献１】特開２０１２−８５０８
【考案の概要】
【考案が解決しようとする課題】
【０００８】
しかしながら、撮影者が片腕を前方に伸ばして「自分撮り」を行うと、スマートフォンを掴んでいる片腕が不安定になっているためにスマートフォンが揺れてピンぼけを生じやすい。また、撮影者が片腕を前方に伸ばして「自分撮り」を行う場合には、撮影者とスマートフォンとの間の距離がせいぜい腕の長さ程度にとどまるので、撮影者自身の姿と共に十分に広い背景をも同時に撮影したいという要求に十分に応えることができなかった。そこで、撮影補助具として特許文献１によって提案されているような補助具を使うことが考えられるけれども、その補助具の雲台にはカメラを装着するための止めねじが備わっているだけであり、そのような雲台にはスマートフォンを装着することができないという問題があった。また、撮影者が狭い空間に手を延ばしたり無理な姿勢をとってスマートフォンのレンズを撮影場所に向けようとしたりすると、スマートフォンを不慮に落としたり撮影者が身体を傷めたりする危険が伴うという問題があった。
【０００９】
本考案は以上の問題に鑑みてなされたものであり、撮影者とスマートフォンとの間に十分な距離を確保して撮影者自身の姿と共に十分に広い背景をも同時に撮影することが容易に可能になるだけでなく、工場に設置されている機械装置などや一般家庭に設置されている家具などの裏側や下側の状況を、スマートフォンで無理な姿勢をとることなく容易に撮影することができるようになるスマートフォン用撮影補助具を提供することを目的とする。
【課題を解決するための手段】
【００１０】
本考案に係るスマートフォン用撮影補助具は、基端部に把手部を備えた伸縮可能な棒状体と、この棒状体の先端部に連結された折曲げ角度及びねじれ角度を調節自在な可撓杆と、この可撓杆の先端部に設けられたスマートフォンホルダーと、を備え、上記スマートフォンホルダーに備わっているスマートフォン保持機構が、スマートフォンを挟圧保持する機能を備えている。
【００１１】
このように構成されているスマートフォン用撮影補助具によると、スマートフォンをスマートフォン保持機構によって挟圧保持させることが可能である。そのため、カメラ用三脚やカメラ用一脚のような撮影補助具の雲台に備わっている止めねじをねじ込むねじ孔がスマートフォンに存在していなくても、スマートフォンを確実にスマートフォンホルダーに保持させることが可能である。また、棒状体の把手部を撮影者が手で掴んで、その棒状体を自噴自身の前方に突き出すことによって、スマートフォンホルダーに保持させているスマートフォンを撮影者の前方に配置することが可能になり、しかも、撮影者とスマートフォンとの間の距離は、棒状体を伸縮させることによって容易に適切に調製することが可能である。そして、腕を伸ばして棒状体を自噴自身の前方に突き出すと、撮影者とスマートフォンとの間の距離を十分に長く確保することができるので、撮影者自身の姿と共に十分に広い背景を同時に撮影することが容易に可能になる。さらに、スマートフォンホルダーに保持させたスマートフォンの向きは、可撓杆に備わっている折曲がり特性やねじれ特性を利用することによって適切に調節することができる。
【００１２】
また、工場に設置されている機械装置などや一般家庭に設置されている家具などの裏側や下側の状況をスマートフォンで撮影したいときには、長さを調節した棒状体を手に持って、そのスマートフォンホルダーに保持させたスマートフォンを狭い空間などに容易に配置することができるので、撮影者が無理な姿勢を強いられることがなくなる。
【００１３】
本考案では、上記可撓杆が、上記棒状体の先端部から当該棒状体に対して略直角に立ち上がっている、という構成を採用することが可能である。この構成を採用することにより、スマートフォンホルダーに保持させたスマートフォンの向きの調節が容易になる。
【００１４】
さらに、本考案では、上記スマートフォンホルダーが、上記可撓杆の先端に固定された取付台と、この取付台に第１支軸を介してその第１支軸の軸線の回りに回動自在に取り付けられた座部と、この座部に上記第１支軸に直交する第２支軸を介して取り付けられてその第２支軸の軸線の回りで回動自在な上記スマートフォン保持機構と、を備えていることが望ましい。この構成を採用すると、スマートフォンの向きを、可撓杆の折曲がり特性やねじれ特性を利用するだけでなく、座部やスマートフォン保持機構の回動特性を利用して容易に調節することが可能になる。
【考案の効果】
【００１５】
以上のように、本考案に係るスマートフォン用撮影補助具によると、撮影者が「自分撮り」を行うときに、撮影者とカメラとの間の距離を十分に長く確保することができるために、撮影者自身の姿と十分に広い背景とを容易に撮影することが可能になる。しかも、当該補助具の棒状体の把手部を片手で持つことも両手で持つことも可能であるため、スマートフォンを前方に安定した状態で配置することができるようになってピンぼけを生じにくくなるという利点がある。さらに、工場に設置されている機械装置などや一般家庭に設置されている家具などの裏側や下側の状況を安全に撮影することも可能である。
【００１６】
また、スマートフォンホルダーにスマートフォンを保持させる手段として、スマートフォンを挟圧保持する機能を備えるスマートフォン保持機構を採用したことにより、カメラ用三脚やカメラ用一脚の雲台に備わっている止めねじをねじ込むためのねじ孔が具備されていないスマートフォンであっても、安定した状態で当該補助具に装着することが可能である。
【００１７】
そして、本考案の補助具によると、棒状体の先端部に連結された可撓杆の曲がり特性やねじれ特性を活用してスマートフォンの向きを調節することができるだけでなく、スマートフォンホルダーに備わっている回動特性を活用することによってもスマートフォンの向きを調節することができるため、スマートフォンの向きを容易にかつ正確に調節することができるという利点もある。
【図面の簡単な説明】
【００１８】
【図１】本考案の実施形態によるスマートフォン用撮影補助具の全体概略斜視図である。
【図２】スマートフォンホルダーの概略斜視図である。
【図３】スマートフォンの概略正面図である。
【考案を実施するための形態】
【００１９】
図３を参照して既述したように、スマートフォンＳは、偏平な筐体１の片面にモニター２を備えていると共に、筐体１の片面又は他面に撮影のために使用されるレンズ３などを備えている。このようなスマートフォンＳにあっては、その形状の偏平化が図られていることなどのために、カメラ用三脚の雲台に備わっている止めねじをねじ込むためのねじ孔は一般的には備わっていない。
【００２０】
図１は本考案の実施形態によるスマートフォン用撮影補助具の全体を示した概略斜視図である。この補助具は、棒状体１０と、棒状体１０の先端部に連結された可撓杆２０と、可撓杆２０の先端部に設けられたスマートフォンホルダー３０と、を備えている。
【００２１】
棒状体１０は、基端部に把手部１１を備えている。この棒状体１０は、数段の短いパイプ材を互いに突出・収容可能に連結することにより全体として伸縮可能に構成されていると共に、伸長又は収縮させたときにはその時点での長さを固定することのできるロック機能を備えている。したがって、棒状体１０を任意の長さに調節可能である。また、この棒状体１０は、最も収縮させたときの長さが２０〜３０ｃｍというコンパクトな形になるようにして持ち運び時の利便性を確保してある。また、この棒状体１０では、最も長く伸長させたときの長さが、大人の片腕の長さ程度、具体的には１ｍ前後の長さになるように構成されている。
【００２２】
棒状体１０の先端部に連結されている可撓杆２０は、外形が蛇腹状の金属管によって構成されている。そして、その金属管の特性を利用することによって、可撓杆２０を任意の角度に折曲げて保形したり、任意のねじれ角度に捻じって保形したりすることができるようになっている。棒状体１０の先端部と可撓杆２０との連結部構造には、可撓杆２０の端部に設けた連結具を棒状体１０の先端部に差込み結合したような嵌合構造を採用しても、可撓杆２０の端部に設けた雄ねじを棒状体１０の先端部に形成した雌ねじにねじ込むようなねじ込み構造を採用しても、その他の周知の構造を採用してもよい。図例では、棒状体１０の先端部と可撓杆２０の根元とをねじ込み構造によって結合している。しかも、可撓杆２０を、棒状体１０の先端部から当該棒状体１０に対して略直角に立ち上げた構成としている。
【００２３】
図２はスマートフォンホルダー３０を拡大して示した概略斜視図である。同図のように、図例のスマートフォンホルダー３０は、可撓杆２０の先端に固定された取付台３１と、この取付台３１の二股部３２に第１支軸４０を介してその第１支軸４０の回りに矢印Ａのように回動自在に取り付けられた座部５０と、この座部５０に、上記第１支軸４０に直交する第２支軸６０を介して取り付けられてその第２支軸６０の軸線の回りで矢印Ｂのように回動自在なスマートフォン保持機構７０と、を備えている。また、第１支軸４０はねじ軸部を有していて、そのねじ軸部にノブ４１がねじ込まれている。そして、ノブ４１を締め付けると、取付台３１の二股部３２が座部５０を挟圧して取付台３１に座部５０が回動しないように固定され、その逆にノブ４１を緩めると、取付台３１の二股部３２による座部５０の挟圧状態が解除されて座部５０を第１支軸４０の回りで回動させることができるようになっている。
【００２４】
スマートフォン保持機構７０は、第２支軸６０を介して座部５０に取り付けられている細長部材７１の一端部と他端部とに、その細長部材７１から突出する形態で係止体７２，７３を突出させてあると共に、細長部材７１の内部に組み込んだ引張りばね（不図示）の作用によって、他方の係止体７３が一方の係止体７２側に常時引き寄せられている。そして、他方の係止体７３を引張りばねの付勢に抗して北方の係止体７３から離間する方向に移動させることが可能である。なお、細長部材７１には、２つの係止体７２，７３が最も近接したときの間隔を保つためのストッパ（不図示）が備わっている。したがって、図２に仮想線で示したように他方の係止体７３を手で持って一方の係止体７２から離間させた状態で、両者の間の空間にスマートフォン（不図示）を嵌め込み、その状態で他方の係止体７３から手を離すと、他方の係止体７３が矢印Ｃのように一方の係止体７２側に引き寄せられて、２つの係止体７２，７３によってスマートフォンが挟圧保持される。この実施形態では、２つの係止体７２，７３の外側にゴムなどの柔軟性のある緩衝材を具備させておくことによって、２つの係止体７２，７３でスマートフォンを挟圧保持させたときにスマートフォンが傷ついたりすることを防いでいる。
【００２５】
次に上記のように構成された撮影補助具を用いて「自分撮り」を行うときの使用形態の一例を説明する。撮影補助具のスマートフォン保持機構７０に図１のようにスマートフォンＳを挟圧保持させることと、長さ調節を行った棒状体１０の把手部１１を撮影者が片手又は両手で持ってその棒状体１０を前方に突き出すこと、とを行うと、スマートフォンＳが撮影者の前方に安定した状態で配置されて、スマートフォンＳのモニター２に撮影者自身の姿とその背景とが表示される。こうして撮影者の前方に配置したスマートフォンＳのモニター２に表示された画像を見て撮影の構図を設定し、その状態でスマートフォンＳのシャッターを作動させる。なお、構図の変更は、棒状体１０の長さを増減したり、可撓杆２０の曲り特性やねじれ特性を利用して行うことが可能であり、また、スマートフォンホルダー３０の座部５０やスマートフォン保持機構７０の回動特性を利用して容易に行うことができる。スマートフォンＳのシャッターは、タイマーを設定して作動させても、遠隔操作によって作動させてもよい。
【００２６】
上記では、「自分撮り」を行うときの使用形態の一例を説明したけれども、工場に設置されている機械装置などや一般家庭に設置されている家具などの裏側や下側の状況を撮影するときには、撮影者が棒状体１０の把手部１１を手でもって、スマートフォンホルダー３０に保持されているスマートフォンＳを撮影場所に配置すればよい。
【００２７】
上記の実施形態では、棒状体１０の基端部に設けられる把手部１１を手に持ちやすいようなグリップによって構成してあるけれども、この把手部１１を三脚によって構成することも可能である。この場合には、三脚と棒状体１０とをねじ結合することが可能である。このように把手部１１を三脚によって構成しておくと、三脚を地面に立てることによって棒状体１０が自立するので、一般的なカメラ用三脚として使用することが可能になる。
【符号の説明】
【００２８】
Ｓ  スマートフォン
１０  棒状体
１１  把手部
２０  可撓杆
３０  スマートフォンホルダー
３１  取付台
４０  第１支軸
５０  座部
６０  第２支軸
７０  スマートフォン保持機構
【図１】
0003185803.tif 000003
【図２】
0003185803.tif 000004
【図３】
0003185803.tif 000005